(57)【要約】【課題】浴室カウンターのカウンター面から確実に排水できるようにする。【解決手段】浴室壁２に浴室カウンター３を設ける。浴室カウンター３の上を向くカウンター面１６の前方部１６ｆ及び中央部１６ｃを占める第１面領域１８は、後方へ向かって下がり勾配が付けられ、幅方向には無勾配の平らであり、カウンター面の側方部１６ｓ及び後方部１６ｒに配置された第２面領域１９は、幅方向の外方へ向かって下がり勾配が付けられている。【選択図】図１
2020127606.tif 000002
【特許請求の範囲】
【請求項１】
上を向くカウンター面を有して、浴室壁に設けられる浴室カウンターであって、
前記カウンター面が、
前記浴室壁と直交する前後方向における浴室壁側の後方へ向かって下がり勾配が付けられ、かつ前記前後方向と交差する幅方向には無勾配の傾斜平面状の第１面領域と、
前記第１面領域から前記幅方向の側方及び後方へ向かって下がり勾配が付けられた傾斜面状の第２面領域と、を含み、
前記第１面領域が、前記カウンター面の前方部及び中央部を占め、
前記第２面領域が、前記カウンター面の側方部及び後方部に配置されていることを特徴とする浴室カウンター。
【請求項２】
前記第２面領域が、前記第１面領域を挟んで前記カウンター面の幅方向の両側の側方部にそれぞれ配置されており、
各第２面領域が、後方へ向かうにしたがって反対側の側方へ向けて拡幅され、かつ前記後方部において他方の第２面領域と直接連なっていることを特徴とする請求項１に記載の浴室カウンター。
【請求項３】
前記直接連なっている箇所が、前記後方部の幅方向における頂点であることを特徴とする請求項２に記載の浴室カウンター。
【請求項４】
前記第２面領域の下がり勾配が、前記カウンター面の後端部又は側端部に近いほど急になっていることを特徴とする請求項１〜３の何れか１項に記載の浴室カウンター。
【請求項５】
前記カウンター面の後端部から上へ突出するとともに前記幅方向へ延びる立上り壁を有し、
前記第１面領域と前記立上り壁の前面部との間に、前記第２面領域が、前記カウンター面の幅方向の全域にわたって介在されていることを特徴とする請求項１〜４の何れか１項に記載の浴室カウンター。
【発明の詳細な説明】
【技術分野】
【０００１】
本発明は、浴室壁に設けられた浴室カウンターに関し、特にカウンター面に排水勾配が付けられた浴室カウンターに関する。
【背景技術】
【０００２】
一般に、浴室の壁には洗面器や石鹸類を置くための浴室カウンターが設けられている（特許文献１〜３等参照）。特許文献１，２の浴室カウンターにおいては、カウンター面上からの排水がカウンターを使用中の入浴者の脚にかかるのを防止するために、カウンター面に前面側から浴室壁側（後方）へ向かって下り勾配が付けられている。
【０００３】
さらに特許文献１においては、カウンター面の後端部に排水溝が形成されている。カウンター面上の水は、下り勾配によって後方へ流れて排水溝に落ち、排水溝を伝って排水される。
特許文献２においては、カウンター面の後端部に立上り壁が形成されている。浴室カウンターの幅方向の中央部に向かうにしたがって、立上り壁が前方へせり出している。このため、カウンター面と立上り壁の前面とで作る稜線が、浴室カウンターの幅方向の両端部へ向かうにしたがって下がっている。カウンター面上の水は、該稜線に沿って排水される。更に立上り壁の前面は幅方向の位置に応じて傾斜が変化している。
特許文献３においては、カウンター面の中央部が部分球面状に隆起している。
【先行技術文献】
【特許文献】
【０００４】
【特許文献１】特許第５２９５０５８号公報
【特許文献２】特許第４２９３００９号公報
【特許文献３】特許第５６６３９９８公報
【発明の概要】
【発明が解決しようとする課題】
【０００５】
前掲特許文献１〜３の浴室カウンターは、排水溝に汚れが溜まりやすく、かつ清掃しにくい。立上り壁が前方へせり出していると、洗面器などの載置スペースが狭くなる。部分球面状の隆起があると、洗面器等を載置した際に安定性が悪くなる。
本発明は、かかる事情に鑑み、カウンター面から確実に排水できる浴室カウンターを提供することを目的とする。
【課題を解決するための手段】
【０００６】
前記課題を解決するため、本発明は、上を向くカウンター面を有して、浴室壁に設けられる浴室カウンターであって、
前記カウンター面が、
前記浴室壁と直交する前後方向における浴室壁側の後方へ向かって下がり勾配が付けられ、かつ前記前後方向と交差する幅方向には無勾配の傾斜平面状の第１面領域と、
前記第１面領域から前記幅方向の側方及び後方へ向かって下がり勾配が付けられた傾斜面状の第２面領域と、を含み、
前記第１面領域が、前記カウンター面の前方部及び中央部を占め、
前記第２面領域が、前記カウンター面の側方部及び後方部に配置されていることを特徴とする。
【０００７】
当該浴室カウンターにおいては、カウンター面の水は、第１面領域の勾配によって後方へ流れ、更に第２面領域の勾配によって側方へ流れて排水される。これによって、カウンター面上に水が溜まらないようにできる。かつ浴室カウンターを使用中の入浴者の脚にカウンター面からの排水がかかるのを防止できる。
カウンター面の前方部及び中央部を占める第１面領域が平らであるために、洗面器その他の入浴用具を浴室カウンターにがたつきなく安定的に載置できる。
【０００８】
前記第２面領域が、前記第１面領域を挟んで前記カウンター面の幅方向の両側の側方部にそれぞれ配置されており、
各第２面領域が、後方へ向かうにしたがって反対側の側方へ向けて拡幅され、かつ前記後方部において他方の第２面領域と直接連なっていることが好ましい。
これによって、カウンター面の水を幅方向の両側方へ排水できる。
【０００９】
前記直接連なっている箇所が、前記後方部の幅方向における頂点であることが好ましい。
これによって、前記後方部に水が溜まるのを確実に防止できる。
【００１０】
前記第２面領域の下がり勾配が、前記カウンター面の後端部又は側端部に近いほど急になっていることが好ましい。
これによって、カウンター面の水を側方へ確実に排水できる。
【００１１】
前記カウンター面の後端部から上へ突出するとともに前記幅方向へ延びる立上り壁を有し、
前記第１面領域と前記立上り壁の前面部との間に、前記第２面領域が、前記カウンター面の幅方向の全域にわたって介在されていることが好ましい。
立上り壁を設けることによって、カウンター面からの排水が浴室壁との壁際まで流れるのが阻止され、前記壁際の汚れを抑制できる。カウンター面から立上り壁まで達した水は、第１面領域と立上り壁との間の第２面領域の勾配によって立上り壁に沿って側方へ排水される。
【発明の効果】
【００１２】
本発明の浴室カウンターによれば、カウンター面から確実に排水することができる。
【図面の簡単な説明】
【００１３】
【図１】図１は、本発明の第１実施形態に係る浴室カウンターを浴室壁に設置した状態で示す平面図である。
【図２】図２は、前記浴室カウンターの正面図である。
【図３】図３（ａ）は、前記浴室カウンターを下から見た斜視図である。図３（ｂ）は、前記浴室カウンターの底ケースを省略して下から見た斜視図である。図３（ｃ）は、前記浴室カウンターを後方から見た斜視図である。図３（ｄ）は、前記浴室カウンターを上から見た分解斜視図である。図３（ｅ）は、前記浴室カウンターを下から見た分解斜視図である。
【図４】図４は、図２のＩＶ−ＩＶ線に沿う、前記浴室カウンターの側面断面図である。
【図５】図５は、図４のＶ−Ｖ線に沿う、前記浴室カウンターの正面断面図である。
【図６】図６は、図２のＶＩ−ＶＩ線に沿う、前記浴室カウンターの側面断面図である。
【図７】図７は、図４のＶＩＩ−ＶＩＩ線に沿う、前記浴室カウンターの正面断面図である。
【図８】図８（ａ）は、本発明の第２実施形態に係る浴室カウンターを上から見た斜視図である。図８（ｂ）は、前記第２実施形態に係る浴室カウンターを下から見た斜視図である。
【図９】図９（ａ）は、本発明の第３実施形態に係る浴室カウンターを上から見た斜視図である。図９（ｂ）は、前記第３実施形態に係る浴室カウンターを下から見た斜視図である。
【図１０】図１０（ａ）は、本発明の第４実施形態に係る浴室カウンターを上から見た斜視図である。図１０（ｂ）は、前記第４実施形態に係る浴室カウンターを下から見た斜視図である。
【図１１】図１１（ａ）は、本発明の第５実施形態に係る浴室カウンターを上から見た斜視図である。図１１（ｂ）は、前記第５実施形態に係る浴室カウンターを下から見た斜視図である。
【図１２】図１２（ａ）は、本発明の第６実施形態に係る浴室カウンターを上から見た斜視図である。図１２ｂ）は、前記第６実施形態に係る浴室カウンターを下から見た斜視図である。
【図１３】図１３（ａ）は、本発明の第７実施形態に係る浴室カウンターを上から見た斜視図である。図１３（ｂ）は、前記第７実施形態に係る浴室カウンターを下から見た斜視図である。
【図１４】図１４（ａ）は、本発明の第８実施形態に係る浴室カウンターを上から見た斜視図である。図１４（ｂ）は、前記第８実施形態に係る浴室カウンターを下から見た斜視図である。
【図１５】図１５（ａ）は、本発明の第９実施形態に係る浴室カウンターを上から見た斜視図である。図１５（ｂ）は、前記第９実施形態に係る浴室カウンターを下から見た斜視図である。
【発明を実施するための形態】
【００１４】
以下、本発明の実施形態を図面にしたがって説明する。
＜第１実施形態＞
図１及び図２に示すように、浴室１の浴室壁２に浴室カウンター３が設けられている。浴室カウンター３の前後方向（図１において上下方向）は、浴室壁２と直交するように向けられている。浴室カウンター３の幅方向（図１において左右方向）は、浴室壁２に沿って水平に向けられている。該浴室カウンター３が、浴室壁２から前方（浴室内側、図１において下側）へ突出されている。図１に示すように、平面視における浴室カウンター３は、前端部が円弧状をなし、かつ浴室壁２へ向かうにしたがって幅が狭くなり、扇形状に形成されている。図２に示すように、正面視における浴室カウンター３は、上へ向かうにしたがって拡幅されることによって逆さ台形状に形成されている。図４に示すように、側面視における浴室カウンター３は、概略水平な上辺に対して底辺が浴室壁２へ向かうにしたがって下へ傾けられることによって概略直角三角形状に形成されている。
【００１５】
図３に示すように、浴室カウンター３は、カウンター本体１０と、補強部材２０と、底ケース３０を備えている。カウンター本体１０は、ポリ塩化ビニル、ポリプロピレン、ポリエチレンその他の合成樹脂からなる射出成形品である。カウンター本体１０は、カウンター板部１１（天板部）と、前板部１２と、一対の側板部１３と、背板部１４を含み、平面視で扇形をなし、かつ下方へ開放されたケース状に形成されている。
図４に示すように、カウンター本体１０の背板部１４が、浴室壁２に突き当てられ、後述する補強部材２０と共に浴室壁２に固定されている。図３に示すように、カウンター本体１０の後端部１６ｒｅには、立上り壁１５が一体に設けられている。立上り壁１５は、カウンター面１６から上へ突出されるとともに、浴室カウンター３の幅方向の全域にわたって延びている。
【００１６】
図３に示すように、カウンター本体１０の底部（下側部）に底ケース３０が設けられている。底ケース３０は、カウンター本体１０と同種又は異種の樹脂からなる射出成型品であり、上へ開放されたケース状に形成されている。底ケース３０が、カウンター本体１０の底部開放部を塞ぐようにして、カウンター本体１０と合わさっている。
【００１７】
図４に示すように、カウンター本体１０と底ケース３０によって、カウンター内空間３ａが形成されている。カウンター内空間３ａに鋼製の補強部材２０が収容されている。図４及び図５に示すように、補強部材２０は、背板部１４と共に浴室壁２にビス４にて固定される一対の取付部２３と、取付部２３から前方へ突出された一対の支持ビーム２１と、支持ビーム２１の間に架け渡された当接板２２とを含む。当接板２２にカウンター板部１１が載せられている。カウンター板部１１と補強部材２０との間には、ゴム、発泡樹脂等の弾力性材料からなる音吸収材２４が介在されている。
補強部材２０によってカウンター本体１０が補強されている。
【００１８】
図１に示すように、カウンター板部１１の上面すなわちカウンター面１６は、第１面領域１８と、一対の第２面領域１９を含む。第１面領域１８は、カウンター面１６の前方部１６ｆ及び中央部１６ｃを占めている。第２面領域１９は、カウンター面１６の側方部１６ｓ及び後方部１５ｒに配置されている。一対の第２面領域１９が、第１面領域１８を挟んでカウンター面１６の幅方向の両側の側方部１６ｓにそれぞれ配置されている。
【００１９】
詳しくは、図４及び図５に示すように、第１面領域１８は、後方（図４において右側）へ向かって一定の下がり勾配が付けられ、かつ幅方向（図５において左右）には無勾配の傾斜平面状になっている。
【００２０】
図５及び図６に示すように、第２面領域１９は、第１面領域１８から幅方向（図５において左右）の側方へ向かって下がり勾配が付けられ、かつ後方（図６において右側）へ向かっても下がり勾配が付けられている。好ましくは、第２面領域１９の下がり勾配は、カウンター面１６における後方部１６ｒの後端部１６ｒｅ及び側方部１６ｓの側端部１６ｓｅに近いほど急になっている。
【００２１】
図１に示すように、一対の第２面領域１９は、後方へ向かうにしたがって互いに接近されている。すなわち、各第２面領域１９が、後方へ向かうにしたがって反対側の側方へ向けて拡幅している。第１面領域１８と一対の第２面領域１９との境界線１６ｇは、カウンター面１６の前端部における幅方向の両側の角部からそれぞれ後方部１６ｒの幅方向の中央部へ向けて斜めに延びている。一対の境界線１６ｇが、後方部１６ｒの幅方向の中央部において交差している。
【００２２】
第１面領域１８と各第２面領域１９とは、境界線１６ｇ上において段差無く滑らかに連続しており、境界線１６ｇ上には段差も稜線も形成されていない。カウンター面１６の勾配方向ないしは法線方向は、境界線１６ｇを跨いで変化している。
【００２３】
図１に示すように、カウンター面１６の後方部１６ｒの幅方向の中央部において、両側の第２面領域１９どうしが直接に連続している。一対の第２面領域１９どうしの境界線１９ｇは、一対の境界線１６ｇの交点から真っ直ぐ後方（図１において上方）へ線状に延びている。両側の第２面領域１９どうしは、境界線１９ｇにおいて段差無く滑らかに連続しており、境界線１９ｇ上には段差も稜線も形成されていない。
【００２４】
図７に示すように、境界線１９ｇは、カウンター面１６の後方部１６ｒの幅方向における頂点を構成している。該境界線１９ｇを境に、カウンター面１６の後方部１６ｒが幅方向の両側方へ向かって下がり勾配となっている。カウンター面１６の勾配方向ないしは法線方向が、境界線１９ｇを跨いで反転している。
第１面領域１８と立上り壁１５の前面部１５ａとの間には、第２面領域１９が、カウンター面１６の幅方向の全域にわたって介在されている。
【００２５】
当該浴室カウンター３においては、カウンター面１６の水は、第１面領域１８の勾配によって後方へ流れ、更に第２面領域１９の勾配によって幅方向の外方へ流れて排水される。これによって、カウンター面１６上の残水を抑制でき、かつ浴室カウンター３を使用中の入浴者の脚にカウンター面１６からの排水がかかるのを防止できる。浴室カウンター３に排水溝を形成する必要が無く、清掃性が良い。かつ金型形状が複雑化するのを防止することで、製造コストの上昇を避けることができる。カウンター面１６の主要部１６ｆ，１６ｃを占める第１面領域１８をフラットにすることによって、洗面器などをカウンター面１６に安定的に載置でき、がたつきを防止できる。洗面器が手前に滑ってカウンター面１６から落ちることも防止できる。
【００２６】
第２面領域１９が第１面領域１８を挟んで幅方向の両側に配置されているから、カウンター面１６の水を幅方向の両側方へ排水できる。
カウンター面１６の後端部１６ｒｅにおいては、２つの第２面領域１９の境界線１９ｇが幅方向における頂点を構成しているから（図７）、水が境界線１９ｇを境に左右何れかの側方へ流れるようにでき、後端部１６ｒｅに水が溜まるのを確実に防止できる。
第２面領域１９の下がり勾配が、カウンター面１６の後端部１６ｒｅ及び側端部１６ｓｅに近づくにしたがって急になっていることによって、カウンター面１６の水を側方へ確実に排水できる。
さらに浴室カウンターの意匠性を高めることができる。
【００２７】
立上り壁１５を設けることによって、カウンター面１６からの排水が浴室壁２との壁際に流れるのが阻止され、前記壁際に汚れが溜まるのを抑制できる。カウンター面１６から立上り壁１５まで達した水は、左右何れかの第２面領域１９の勾配によって側方へ確実に排水できる。したがって、カウンター面１６上の残水を確実に防止できる。
【００２８】
次に、本発明の他の実施形態を説明する。以下の実施形態において既述の形態と重複する構成に関しては、図面に同一符号を付して説明を省略する。
図８に示す浴室カウンター３Ｂは、長方形状に形成されている。２つの第２面領域１９がカウンター面１６の後端部１６ｒｅの中央部において連続している。２本の境界線１６ｇがカウンター面１６の後端部１６ｒｅの中央部で交差している。立上り壁１５は省略されている。
【００２９】
図９に示す浴室カウンター３Ｃは、前端部が平面視円弧状に形成され、側端部は真っ直ぐ前後方向へ延びている。
【００３０】
図１０に示す浴室カウンター３Ｄは、前端部が平面視円弧状に形成され、側端部は後方へ向かって幅が小さくなり、全体として扇形状に形成されている。
【００３１】
図１１に示す浴室カウンター３Ｅは、第１面領域１８と第２面領域１９との境界線１６ｇの前端部が、図８の浴室カウンター３Ｂより後方へずれており、側端部１６ｓｅの中間部に配置されている。
【００３２】
図１２に示す浴室カウンター３Ｆでは、各第２面領域１９が、緩勾配部１９ａと、急勾配部１９ｂとに区画されている。したがって、カウンター面１６が５面勾配となっている。急勾配部１９ｂは、カウンター面１６の後方部１６ｒに配置され、緩勾配部１９ａより勾配が急になっている。
【００３３】
図１３に示す浴室カウンター３Ｇでは、幅方向の両側の第２面領域１９が、カウンター面１６の後端部１６ｒｅにおける幅方向の一側へずれた箇所で連続している。２本の境界線１６ｇがカウンター面１６の後端部１６ｒｅにおける前記ずれた箇所で交差している。
【００３４】
図１４に示す浴室カウンター３Ｈでは、２本の境界線１６ｇが、カウンター面１６の後端部１６ｒｅよりも前方へ離れた箇所で交わっている。該交差部から後端部１６ｒｅへ向かって２つの第２面領域１９どうしの境界線１９ｇが設けられている。
【００３５】
図１５に示す浴室カウンター３Ｉでは、カウンター面１６の後端部１６ｒｅに立上がり壁１５が形成されている。
【００３６】
本発明は、前記実施形態に限定されるものではなく、その趣旨を逸脱しない範囲において種々の改変をなすことができる。
例えば、第１実施形態において立上がり壁１５を省略してもよい。
【産業上の利用可能性】
【００３７】
本発明は、例えば浴室ユニットに適用できる。
【符号の説明】
【００３８】
１        浴室
２        浴室壁
３        浴室カウンター
３Ｂ〜３Ｉ    浴室カウンター
１０      カウンター本体
１１      カウンター板部
１５      立上り壁
１６      カウンター面
１６ｆ    前方部
１６ｃ    中央部
１６ｓ    側方部
１６ｓｅ  側端部
１６ｒ    後方部
１６ｒｅ  後端部
１６ｇ    境界線
１８      第１面領域
１９      第２面領域
１９ｇ    境界線
１９ａ    緩勾配部
１９ｂ    急勾配部
【図１】
2020127606.tif 000003
【図２】
2020127606.tif 000004
【図３】
2020127606.tif 000005
【図４】
2020127606.tif 000006
【図５】
2020127606.tif 000007
【図６】
2020127606.tif 000008
【図７】
2020127606.tif 000009
【図８】
2020127606.tif 000010
【図９】
2020127606.tif 000011
【図１０】
2020127606.tif 000012
【図１１】
2020127606.tif 000013
【図１２】
2020127606.tif 000014
【図１３】
2020127606.tif 000015
【図１４】
2020127606.tif 000016
【図１５】
2020127606.tif 000017